Podtech/llm-jp-corpus-v4-ja_patent huggingface dataset:
(57)【特許請求の範囲】
【請求項１】
レジ袋本体の、左右端部に持ち手があり、その持ち手のところに、レジ袋本体と同じ合成樹脂製の、持ち手の幅と同じ幅で、レジ袋本体の上下長さと同じ長さの帯状のベルトが重ねて配置され一体化し、その上部の左右端部と下部の左右端部が接着又は溶着され連結されていて、その持ち手と帯状のベルトが重なっているところの、上部の左部と右部の部分を連結して結ぶ事によって、背負う事が出来るリュック型のレジ袋。
【発明の詳細な説明】
【技術分野】
【０００１】
この発明は、例えばスーパーマーケットや、ドラッグストアー等における小売店において、購入した商品を入れて持ち帰るために用いる、いわゆるレジ袋を改良し背中で背負う事のできるリュック型レジ袋に関する。                                          
【背景技術】
【０００２】
本発明は、高齢化社会になりつつある現代又、核家族の為高齢の方が日常の買い物をする事が多くなり重たい物を提げて歩かなければならない。 
【０００３】
高齢の方は、自家用車や自転車等の乗り物を使用することが少なく、殆どの方が徒歩である。                                        
【０００４】
その上、杖を使用して買い物をする方もいるので、杖をついて荷物を持つのは、荷物を持ってない時よりも困難になる。                                     
【０００５】
又、雨の日なども傘をさして重い荷物を提げて持つ事も困難になる。      
【０００６】
母親が小さな子どもの手を引いて、荷物を提げて持つことは両手が塞がり咄嗟の時の対応が困難になる。                                     
【０００７】
予定よりも多く買い物をして、荷物が提げきれなくなった場合。                 
【先行技術文献】
【特許文献】
【０００８】
【特許文献１】特開２００８-２７９１８６号公報
【発明の概要】
【発明が解決しようとする課題】
【０００９】
高齢者が買い物をする場合や、予定よりも多く商品を購入した場合、手で提げることが困難な場合。
【００１０】
商品を購入し提げて帰宅する時、雨天で傘をさす場合、小さな子どもを連れて手を引いての場合、又、足が不自由で杖をついての場合など、手で提げる事が困難な場合。
【００１１】
商品が重量を増す場合（例えばペットボトル容器に入った水、米）
【００１２】
数年前から地球環境の保護や資源の無駄を省く為に、マイバックやエコバックの使用を奨励されて来ているがその為万引きの件数が多くなっているので、レジ袋使用が万引き防止対策にもなり背負うことによって必要度も増すリュック型レジ袋を提供することにある。
【課題を解決するための手段】
【００１３】
上記の文献の物よりも簡易的であり、商品化する場合はコストが安い。
【００１４】
従来、スーパーマーケットやドラッグストアー、量販店などで購入した商品を入れる合成樹脂製の商品収納袋、一般に言われているレジ袋に同じ合成樹脂製の物をつけ背負う事が出来るようにする。
【００１５】
上記のような課題を解決するためこの発明は、現状のレジ袋本体の左部と右部の両側の位置にレジ袋本体と同じ合成樹脂製のものを帯状にしたものをこの袋本体の上部、下部を接着又は溶着することによって固定化されている。
【００１６】
ショルダーバック風に片肩に掛けて使用することも出来又、身長にあわせて自在に結ぶことが出来る。
【発明の効果】
【００１７】
この発明によってレジ袋が手提げで使用するだけでなくショルダーバック風、あるいはリュックサック風に肩に掛けて使用することで、両手を自由に使うことができたり、背負う事で商品の重量が軽減され使用する人の条件に合わせた使い分けが可能となって便利である。
【００１８】
マイバックやエコバック使用で万引きが増加しているが、この発明の有効な手段となるリュック型レジ袋使用でレジ袋の利用者も多くなり、万引き防止対策にもなりうる。
【図面の簡単な説明】
【００１９】
【図１】図１は改良したレジ袋を背負った状態のリュック型レジ袋と、片肩に掛けた状態のショルダーバック風のレジ袋。
【図２】図２は現状のレジ袋本体の左部と右部の両側の位置に帯状のものを付けた状態。
【図３】図３は現状のレジ袋の状態。
【図４】図４は背負う事が出来るようにするための帯状のもの。
【発明を実施するための形態】
【００２０】
以下、この発明の実施の形態を図示例と共に説明する。
【実施例】
【００２１】
図面、図３の現状のレジ袋に、図４の帯状のレジ袋本体と同じ合成樹脂製のものを図２のように重ねて、図２の４の部分の４ヶ所を接着又は溶着で固定される。
【００２２】図３の２のレジ袋の左部の上部２６下部２８と右部の上部２７下部２９に、図４の帯状のベルト３の上部３０と下部３１を、図３の２のレジ袋の左部と右部の上部と下部に重ね合わされている図２の４の部分を接着又は溶着されている図２の２１と２２の部分を、連結して結ぶとき、使用する人の身長、体型又は、購入品の収納量に合わせてベルト３の長さが調節できる事によって、背負う人一人ひとりに合う状態で結ぶ事が出来、背負う事が出来る状態になる。【００２３】
図２の、２３と２４の部分に手を通すことによってリュックサック風の状態になり背負う事が可能になる。
【００２４】
又、図２の２３、２４を一緒の手に通して片肩に掛ける事でショルダーバック風の状態になる。
【産業上の利用可能性】
【００２５】
スーパーマーケットやドラッグストアー等における小売店において、購入した商品を入れて持ち帰るために用いるレジ袋を使用する時、両手が塞がっていて手で提げることが出来ない状況に対応出来るリュック型レジ袋は、産業上にも広く用いられる。
【符号の説明】
【００２６】
１  リュック型レジ袋
２  袋本体
３  ベルト
４  接着又は溶着部分
２１  結ぶ部分
２２  結ぶ部分
２３  背負う部分
２４  背負う部分
２５  結ぶ部分
２６  接着又は溶着部分
２７  接着又は溶着部分
２８  接着又は溶着部分
２９  接着又は溶着部分
３０  接着又は溶着部分
３１  接着又は溶着部分
【要約】
【課題】高齢者や、両手が塞がっていて商品をレジ袋に入れて手で提げて持てない場合背負う事で荷物が、軽減される事が出来るリュック型のレジ袋を提供する。
【解決手段】現状のレジ袋を改良して、背負う事が出来るようにレジ袋の両端にレジ袋と同じ合成樹脂の素材の物を帯状にしてレジ袋の上部と下部に接着又は、溶着することによって固定させ、商品をレジ袋に入れた後両端の上部の左右の部分を結ぶことによって強度も増し、レジ袋がリュックのように背負う事が出来る状態になる。
【選択図】図１【図１】
0006004214.tif 000002
【図２】
0006004214.tif 000003
【図３】
0006004214.tif 000004
【図４】
0006004214.tif 000005
(57)【特許請求の範囲】
【請求項１】
スタイ本体の前方部を正面とし、首の後ろが後方部となるように設け、スタイ本体の正面の左右両肩に留め具を夫々取付け、スタイ本体に取付けられた留め具には左肩胸当て布と右肩胸当て布の裏面に取付けられた留め具によりスタイ本体に着脱自在に取付けられるようにしたスタイ具。
【発明の詳細な説明】
【技術分野】
【０００１】本発明は、左右取り外し自由なスタイ具に関するものである。
【背景技術】
【０００２】従来のよだれかけでは、スタイ本体の生地全体の取り外しであった。
【先行技術文献】
【特許文献】
【０００３】
【特許文献１】特開２００８−２５５５４２  号公報
【発明概要】
【発明が解決しようとする課題】
【０００４】乳幼児や障害者などはよだれや汚れによりスタイを着用する必要がある。
スタイ本体が一体型のため、よだれなどを拭くときも、スタイ本体を持っての介助となり、スタイ本体を拭く範囲も限られ衛生上良くなかった。
本発明は、乳幼児や要介護者への頻繁なスタイ本体の取替えを解消する為のものである。
【課題を解決するための手段】
【０００５】（イ）乳幼児や障害者などがスタイ本体（１）を使用する際、前方部（５）を正面とし首の後ろが後方部（６）となるように着用し、スタイ本体（１）の左右両肩には面ファスナー（２）が取り付けてあり、
（ロ）スタイ本体（１）に取付けられた面ファスナー（２）には左肩胸当て布（４）と右肩胸当て布（３）の裏面に取付けられた面ファスナー（２）によりスタイ本体（１）に着脱自在に取付けられている、
（ハ）左右両肩個所から左右の肩胸当て布（４）（３）は、スタイ本体（１）から取外し可能なため、片方の肩胸当て布だけでも着脱自在に簡単によだれや汚れなどをとることができる。
以上のように構成されたスタイ具。
【発明の効果】
【０００６】スタイ本体に取り付けた左肩胸当て布（４）と右肩胸当て布（３）を夫々取外し可能にすることにより汚れた場合、交換が簡単で容易にすることが出来るので、衛生状態を保つことが出来る。又、片方だけの取替えも簡単にできる。そして、高齢者や障害者などの介助者にはエプロンとしても使用することができる。
【図面の簡単な説明】
【０００７】
【図１】本発明の平面図
【図２】本発明の左右肩胸当て布を取外した状態図
【図３】本発明のスタイ本体に左右肩胸当て布を取付けた状態図
【発明を実施するための形態】
【０００８】  以下、本発明の実施の形態を説明する。
（イ）乳幼児や障害者などがスタイ本体（１）を使用する際、図１に示されたように、スタイ本体（１）の前方部（５）を正面とし、首の後ろが後方部（６）となるように乳幼児や障害者等に着用し使用する、スタイ本体（１）の左右両肩には面ファスナー（２）が夫々取り付けてある。
（ロ）スタイ本体（１）に取付けられた面ファスナー（２）には左肩胸当て布（４）と右肩胸当て布（３）の裏面に取付けられた面ファスナー（２）によりスタイ本体（１）に着脱自在に取付けられている。
（ハ）左右両肩個所から左右の肩胸当て布（４）（３）は、スタイ本体（１）から取外し可能なため、片方の肩胸当て布だけでも着脱自在に簡単によだれや汚れなどをとることができる。
（ニ）留め具としてはボタンやホック・紐などのもあるが本発明の一実施例では面ファスナーで示した。
本発明は以上のような構造である。
本発明を使用するときは、図３に示した状態で使用者の首に掛ける。使用している時に、よだれや食べ物をこぼして左右の肩胸当て布（４）（３）又は、片方の肩胸当て布が汚れた時は図２に示したように、汚れた肩胸当て布を取外し、別に用意した新しい肩胸当て布を、スタイ本体（１）の面ファスナー（２）合わせて、肩胸当て布の裏面に取付けられた面ファスナー（２）に合わせれば簡単に取付けることが出来る。同様に、取り外しも簡単に出来る。
【符号の説明】
【０００９】１  スタイ本体、２  面ファスナー、３  右肩胸当て布、４  左肩胸当て布、５  前方部、６  後方部
【図１】
0005908822.tif 000002
【図２】
0005908822.tif 000003
【図３】
0005908822.tif 000004
(57)【特許請求の範囲】
【請求項１】
細身で略弓状形状のハンガー本体（１）と、下方に折り畳めるフック（２）と、左右にタートルネックの端を留めるための切り込み（４）を有する複数の方形の板材を蛇腹状に折り畳めるように連ねて構成されたネック（３）、及びネック（３）の上端部の板材にフック（２）が結合された連結部を有し、その両端にはフードを掛けた時の滑り止めとなる山（６）を有し、フック（２）及び連結部からネック（３）をハンガー本体（１）まで折り畳むと、ハンガー本体（１）の縦方向の幅にほぼ収納できることを特徴としたタートルネック及びフード付衣類用洗濯物干しハンガー。
【発明の詳細な説明】
【技術分野】
【０００１】この発明は、タートルネックの襟部分及びフード付衣類のフードを延ばして干せ、なおかつハンガーを襟から容易に差し込んで掛けることの出来るタートルネック及びフード付衣類用洗濯物干しハンガーに関するものである。
【背景技術】
【０００２】従来、タートルネックやフード付衣類を干す時、襟及びフードを伸ばしきれず、乾かすのが困難であった。
また、そのような衣類のためのハンガーも販売しているが、大型でかつ衣類の下方から挿入して掛けるのに手間がかかったり、また襟から掛ける事が可能な折り畳み式も出ているが、タートルネックやフードを伸ばし切る長さをフックの下に確保するのは構造上無理であった。また、構造が複雑であり、安価での提供は困難であった。
【先行技術文献】
【特許文献】
【０００３】
【特許文献１】登録実用新案第２０５−４０５１６号公報
【特許文献２】登録実用新案第３０８２７１５号公報
【発明の概要】
【発明が解決しようとする課題】
【０００４】従来の方法は次のような欠点があった。
従来のタートルネック及びフード付き衣類用のハンガーは大型であったり複雑な構造の折畳み式であったりして、安価に提供するのが難しかった。例えば特許文献１は大型であり、襟から挿入して衣類を掛ける事は不可能であるし、特許文献２では長めのタートルネックの襟及びフードを伸ばしきるには連結部材の長さが不十分であった。
本発明は以上のような欠点をなくすためになされたものである。
【課題を解決するための手段】
【０００５】下方に折り畳めるフック（２）、その下に蛇腹状に折り畳む事の出来るネック（３）、また折り代（５）をネック（３）とハンガー本体（１）との間に設ける。
ネック（３）を構成する板材の各両側に切り込み（４）を設ける。
フード付衣類のフードを掛ける山（６）をネック（３）の上部両端にそれぞれ設ける。
折り畳むとフック（２）、ネック（３）、ハンガー本体（１）を片手で握れる細い棒状になる。
本発明は、以上の構成よりなるタートルネック及びフード付衣類用洗濯物干し用ハンガーである。
【発明の効果】
【０００６】ネック（３）がタートルネックやフードを掛けるのに充分な長さにすることが可能になり、衣類を早く乾かせる。
また、棒状に細くなるハンガーを片手で握り、衣類の襟口から差し入れることが出来るので、ハンガーを濡れた衣類下方から掛ける手間を大幅に省くことが出来る。
さらに［図４］のようなハンガーにしても襟口から差し込める便利なハンガーとして使用することも考えられる。
【図面の簡単な説明】
【０００７】
【図１】本発明の正面図である。
【図２】本発明の折り畳み時の図である。
【図３】本発明の使用状態図である。
【図４】記載したハンガーの図である。
【図５】Ａ−Ａ断面図である。
【図６】その他の実施例を示す斜視図である。
【図７】本発明の切り込みの図である。
【図８】別の実施例を示す図である。
【発明を実施するための形態】
【０００８】以下、本発明を実施するための形態について説明する。
フック（２）からネック（３）までを蛇腹状に折りたたむことが出来るようにする。
本体（１）上部中央、かつ厚さ方向中央にネック（３）接着する。この時、ネック（３）は本体（１）に直に接着しても良いが（図示略）、本体（１）とネック（３）の間には折り代（５）を設けることで、ネック折り畳み時、きれいに本体とネックおよびフックが一体になる。また、折り代（５）は少なくとも本体の幅の半分の長さとする。
【０００９】本体（１）の形はフック（２）、ネック（３）を折りたたんだ時、棒状になるように、細身、弓状が好ましい。
【００１０】ネック（３）は複数の方形状の板材からなっている。ネック（３）の各板材にはタートルネックの端を留めるための切り込み（４）を設ける。切り込み（４）はほぼアーチ型にする。ネック（３）の上方中央に折り畳み自在のフック（２）を設ける。
【００１１】ネック（３）上部には、山（６）を設け、フードを掛けたときの滑り止めとする。
その他の実施例として、図６に示すようにネック（３）である連結した複数の板材のその他の実施例として、図６に示すようにネック（３）である連結した複数の板材の代わりに、折り目を付けられる素材一枚に蛇腹に折り目を付けたものを代用してもほぼ同様の効果が得られる。
また別の実施例として、図８に示すように本体（１）を細い棒状もので山型に作り、直線に延びる底辺（１−Ａ）を撓る素材にして、普段は直線の棒状であり、握ったときだけ弓状になるようにすると、衣類以外にタオル等も掛けることができて便利である。
【００１２】以下、本発明のハンガーの使い方を説明する。
フック（２）、ネック（３）を折りたたみ、本体（１）と一体化して棒状になったハンガーの中心を握って、襟口から片方の先端を挿入する。
挿入した片方の先端を斜め方向に片側の袖口に向かって深く差し込む（反対の先端が衣類の胸元まで完全に入り切るまで）。
ハンガーを持つ手を襟口真下まで戻し、本体（１）の左右先端の位置を衣類の左右の肩位置に整える。
ネック（３）を伸ばしながらフック（２）まで襟口からだしていき、衣類のタートルネックの縁を最寄りの切り込み（４）で押さえる。
【符号の簡単な説明】
【００１３】（１）  本体、
（２）  フック、
（３）  ネック、
（４）  切り込み、
（５）  折り代、
（６）  山
【図１】
0005908823.tif 000002
【図２】
0005908823.tif 000003
【図３】
0005908823.tif 000004
【図４】
0005908823.tif 000005
【図５】
0005908823.tif 000006
【図６】
0005908823.tif 000007
【図７】
0005908823.tif 000008
【図８】
0005908823.tif 000009
(57)【特許請求の範囲】
【請求項１】
外周の４辺または相対する２辺に複数の電極端子からなる電極端子列を備えた部品を実装するプリント基板において、
前記電極端子列に対応するパッド列を備え、
前記電極端子列に対応するパッド列の両端のパッドは、それ以外のパッドよりパッドの並んでいる方向の外側へ延長され、かつ部品中央から最も遠い角を斜めにカットした形状を有することを特徴とするプリント基板。
【請求項２】
前記両端のパッドは、前記部品の中央から最も遠い角を挟む２辺に対し、前記電極端子列の両端の電極端子の前記の中央から最も遠い角の頂点から伸ばした各垂線との交点同士を結んだ線で斜めにカットした形状であることを特徴とする請求項１に記載のプリント基板。
【請求項３】
前記両端のパッドは、前記パッドの並んでいる方向の外側に加えて、前記パッドの並んでいる方向に直角な方向の外側にも延長したことを特徴とする請求項１または２の何れか一つに記載のプリント基板。
【発明の詳細な説明】
【技術分野】
【０００１】
本発明は、電子部品を実装するプリント基板に関する。
【背景技術】
【０００２】
従来、プリント基板１のパッド７上に部品３を実装する場合、以下のように実施される。図６に示すように、プリント基板１上には部品３の電極端子５の形状・寸法・配置等に応じて矩形状のパッド７が配置されている。このパッド７上にはソルダペーストが塗布され、その上に部品３が載せられる。そしてリフロー装置により全体が加熱され、ソルダペーストが溶融し部品３の電極端子５とプリント基板１のパッド７がはんだ付けされることにより、部品３がパッド７上に実装される。
【先行技術文献】
【特許文献】
【０００３】
【特許文献１】特開平７−１８３６５０号公報
【発明の概要】
【発明が解決しようとする課題】
【０００４】
図６に示される従来技術では、温度サイクル時に各パッド列の両端に位置するパッド７のはんだ付け部に大きな応力がかかるため、そこではんだ付け部の破断による故障が発生しやすいという問題点があった。
【０００５】
そこで本発明の目的は、プリント基板に設けられたパッドにおけるはんだ付け部の破断寿命を延長することが可能なプリント基板を提供することである。
【課題を解決するための手段】
【０００６】
本願の請求項１に係る発明は、外周の４辺または相対する２辺に複数の電極端子からなる電極端子列を備えた部品を実装するプリント基板において、前記電極端子列に対応するパッド列を備え、前記電極端子列に対応するパッド列の両端のパッドは、それ以外のパッドよりパッドの並んでいる方向の外側へ延長され、かつ部品中央から最も遠い角を斜めにカットした形状を有することを特徴とするプリント基板である。  
請求項２に係る発明は、前記両端のパッドは、前記部品の中央から最も遠い角を挟む２辺に対し、前記電極端子列の両端の電極端子の前記の中央から最も遠い角の頂点から伸ばした各垂線との交点同士を結んだ線で斜めにカットした形状であることを特徴とする請求項１に記載のプリント基板である。  
請求項３に係る発明は、前記両端のパッドは、前記パッドの並んでいる方向の外側に加えて、前記パッドの並んでいる方向に直角な方向の外側にも延長したことを特徴とする請求項１または２の何れか一つに記載のプリント基板である。
【発明の効果】
【０００７】
本発明により、プリント基板に設けられたパッドにおけるはんだ付け部の破断寿命を延長することが可能なプリント基板を提供できる。
【図面の簡単な説明】
【０００８】
【図１】プリント基板のパッド上に部品を載置した状態を示す図である。
【図２】図１において最外パッドを延長した状態を示す図である。
【図３】図２において最外パッドを延長するとともにコーナをカットした状態を説明する図である。
【図４】図２の最外パッドと電極端子とをはんだによりはんだ付けした状態を示す図である。
【図５】図３の最外パッドと電極端子とをはんだによりはんだ付けした状態を示す図である。
【図６】従来技術を説明する図である。
【発明を実施するための形態】
【０００９】
以下、本発明の実施形態を図面と共に説明する。  
図１はプリント基板のパッド上に部品を載置した状態を示す図である。プリント基板１に部品３を実装するためのパッド７が設けられている。部品３は例えば電子部品であり、複数の電極端子５を備えている。部品３には相対する２辺に電極端子５が４個並んでいる。なお、本発明の実施形態として部品３に、その外周の４辺または相対する２辺に電極端子５が配列されているものを対象とする。部品３の電極端子５とプリント基板１に設けられたパッド７とははんだ付けによって電気的に接続されるとともに固定されている。
【００１０】
図２は図１において最外パッドを延長した状態を示す図である。最外パッドは、７ａ，７ｄ，７ｅ，７ｈの４つである。最外パッドであるパッド７ａ，パッド７ｄ，パッド７ｅ，パッド７ｈは、部品３の電極端子５の配列に対応するパッド列の両端のパッドである。これらのパッド７ａ，７ｄ，７ｅ，７ｈは、それ以外のパッドよりパッドが並んでいる方向の外側方向に延長されている。図２に符号８で示される箇所が延長部分である。
【００１１】
図３は図２において最外パッドを延長するとともにコーナをカットした状態を説明する図である。なおここでカットとはパッドを部分的に除去することを意味している。最外パッドであるパッド７ａ，パッド７ｄ，パッド７ｅ，パッド７ｈは、部品３の中央９から最も遠い角（頂点）部（図２参照）を斜めにカットした形状を有する。符号１０はカット部分である。両端のパッド７ａ，７ｄ，７ｅ，７ｈのカット線１１は、部品の角から前記角をはさむ２辺に伸ばした各垂線との交点同士を結んだ線である。また、最外パッドであるパッド７ａ，パッド７ｄ，パッド７ｅ，パッド７ｈはパッドの並んでいる方向１２の外側に加えて、パッドの並んでいる方向に直角な方向１３の外側にも延長してもよい。
【００１２】
図４は図２の最外パッドと電極端子とをはんだによりはんだ付けした状態を示す図である。図５は図３の最外パッドと電極端子とをはんだによりはんだ付けした状態を示す図である。パッド７を外側に延長し、はんだ供給量を増やすことにより、より大きなはんだフィレットを形成することができ、耐温度サイクル性が向上する。また図５に示すように、コーナをカットし、はんだフィレットの余分な裾引きを防止することで、はんだフィレットの厚みを増すことができ、これによっても耐温度サイクル性が向上する。
【符号の説明】
【００１３】
１  プリント基板
２  領域
３  部品
４  本体
５  電極端子
６  回路パターン
７，７ａ，７ｂ，７ｃ，７ｄ，７ｅ，７ｆ，７ｇ，７ｈ  パッド
８  延長部分
９  中央
１０  カット部分
１１  カット線
１２  パッドの並んでいる方向
１３  パッドの並んでいる方向に直角な方向
１４  はんだフィレット
【図２】
0005908508.tif 000002
【図３】
0005908508.tif 000003
【図４】
0005908508.tif 000004
【図６】
0005908508.tif 000005
【図１】
0005908508.tif 000006
【図５】
0005908508.tif 000007
(57)【特許請求の範囲】
【請求項１】
レール式走行機構（６）と、
高さ調節可能なクローラ式走行機構（５）と、
バラストを収容するクリアリングチェーン（１２）と、
バラスト撒布装置（２０）を有するふるい装置（１９）と、
を備える、バラスト道床をクリーニングする装置であって、
ａ）第１の機械フレーム（３）と、該第１の機械フレーム（３）に連結される第２の機械フレーム（４）とを備え、該第１及び第２の機械フレーム（３，４）にそれぞれ２つのクローラ式走行機構（５）と２つのレール式走行機構（６）とが配設されており、
ｂ）前記第１の機械フレーム（３）の両前記クローラ式走行機構（５）間に、前記クリアリングチェーン（１２）の収容ユニット（１３）が配置され、前記第２の機械フレーム（４）は、前記ふるい装置（１９）を有し、該第２の機械フレーム（４）の両前記クローラ式走行機構（５）間に、前記バラスト撒布装置（２０）が配置されており、
ｃ）前記第１及び第２の機械フレーム（３，４）は、それぞれ、前側及び後側のフレーム端部（７，８）を有し、該前側及び後側のフレーム端部（７，８）にそれぞれ１つの前記レール式走行機構（６）が配置されている、
ことを特徴とする、バラスト道床をクリーニングする装置。
【発明の詳細な説明】
【技術分野】
【０００１】
本発明は、高さ調節可能なクローラ式走行機構と、バラストを収容するクリアリングチェーンと、バラスト撒布装置を有するふるい装置と、を備える、バラスト道床をクリーニングする装置に関する。
【０００２】
ドイツ連邦共和国特許公告第１２０７４１５号明細書において、レール式走行機構とクローラ式走行機構とを備える、無軌道のバラスト道床をクリーニングする機械が公知である。無端に形成された、バラストを収容するバケットチェーンの下側には、収容したバラストをクリーニングして、クローラ式走行機構の手前で道床上に撒くために、ふるい装置が存在している。
【０００３】
ドイツ連邦共和国特許出願公開第２５５０３９１号明細書あるいはオーストリア国特許第３５３３０６号明細書において、２つの方式で走行可能なバラストクリーニング機械が公知である。これらの公知のバラストクリーニング機械では、走行機構間に収容装置とふるい装置とが配置されている。
【０００４】
そこで本発明の課題は、比較的急な曲線軌道においても問題なく使用可能であり、様々な使用条件への適合性を改善可能な、冒頭で述べた形式の装置を提供することである。
【０００５】
この課題は、本発明により、独立請求項の前提部に記載される形式の装置であって、以下のａ）乃至ｃ）に記載の特徴、すなわち：
ａ）第１の機械フレームと、第１の機械フレームに連結される第２の機械フレームとを備え、第１及び第２の機械フレームにそれぞれ２つのクローラ式走行機構と２つのレール式走行機構とが配設されており、
ｂ）第１の機械フレームの両クローラ式走行機構間に、クリアリングチェーンの収容ユニットが配置され、第２の機械フレームの両クローラ式走行機構間に、バラスト撒布装置が配置されており、
ｃ）両レール式走行機構は、それぞれ、前側あるいは後側のフレーム端部に配置されている、
という特徴を有する装置によって解決される。
【０００６】
このように形成された装置は、それぞれ、短い走行機構間距離を有する。その結果、個々の車両は、問題なく、急な曲線軌道においても使用可能である。さらに、特に汚れたバラスト道床の完全な掘り起こしの場合、ふるい装置を有する装置部分は、簡単かつ迅速に取り外し可能である。
【０００７】
本発明の別の利点は、図面の説明から看取可能である。
【０００８】
以下に、本発明について、図面に示した一実施の形態に基づいて詳説する。
【図面の簡単な説明】
【０００９】
【図１】バラスト道床をクリーニングする装置の側面図である。
【図２】バラスト道床をクリーニングする装置の平面図である。
【００１０】
図１及び図２に看取可能な、バラスト道床２をクリーニングする装置１は、主として第１の機械フレーム３と、第１の機械フレーム３に連結される第２の機械フレーム４とを有している。機械フレーム３，４には、それぞれ２つのクローラ式走行機構５と２つのレール式走行機構６とが配設されている。レール式走行機構６は、それぞれ前側あるいは後側のフレーム端部７，８に結合されている。各々のクローラ式走行機構５は、駆動装置９により機械フレーム３，４に対して相対的に高さ調節可能に形成されている。各々の機械フレーム３，４の少なくとも１つのクローラ式走行機構５及び少なくとも１つのレール式走行機構６は、走行駆動装置１０を装備している。走行駆動装置１０は、機械フレーム３，４に配置された動力装置１１から動力の供給を受ける。
【００１１】
第１の機械フレーム３は、クリアリングチェーン１２を有する。クリアリングチェーン１２の収容ユニット１３は、クローラ式走行機構５間に配置されている。クリアリングチェーン１２は、駆動装置１４，１５により回転可能あるいは高さ調節可能に形成されている。クリアリングチェーン１２によって収容されたあるいは掻き取られたバラスト１６は、作業方向１７とは逆方向に搬送ベルト１８を介して、第２の機械フレーム４に配置されたふるい装置１９へと搬送される。ふるい装置１９にはバラスト撒布装置あるいはバラスト投下装置２０が配設されている。バラスト撒布装置２０は、第２の機械フレーム４のクローラ式走行機構５間に配置されている。バラスト撒布装置２０によって、クリーニングされたバラスト１６は、バラスト道床２を形成するために再投入され、次に、第２の機械フレーム４に存在する締固め装置２１によって締め固められる。クリーニング時に発生した屑は、別の搬送ベルト２２を介して貯蔵車両２３へと搬送される。
【図１】
0005871923.tif 000002
【図２】
0005871923.tif 000003
(57)【特許請求の範囲】
【請求項１】
躯体補修用挿入型注入プラグから注入材を注入するコンクリート躯体補修方法であって、
ケイ酸アルカリ水溶液により溶けるガラス質を混入したプラスチックからなっている前記躯体補修用挿入型注入プラグの注入プラグ本体が先端に向かって先細りとなった先端部を前記ケイ酸アルカリ水溶液に浸して潤滑性を付与し、
潤滑性が付与された前記先端部の外周にアメゴムチューブを挿入して被せ、前記ケイ酸アルカリ水溶液を前記ガラス質と反応させて潤滑性を無くし、前記アメゴムチューブを前記先端部に接着固定し、
前記アメゴムチューブが固定された前記躯体補修用挿入型注入プラグを削孔穴に差し込み、
前記躯体補修用挿入型注入プラグを介して注入材を前記コンクリート躯体に注入する
ことを特徴とするコンクリート躯体補修方法。
【請求項２】
請求項1のコンクリート躯体補修方法に使用されるコンクリート躯体補修用挿入型注入プラグにおいて、
注入プラグ本体は、先端に向かって先細りとなった先端部を有し、ケイ酸アルカリ水溶液により溶けるガラス質を混入した半透明のプラスチックからなっており、前記先端部の外周にアメゴムチューブが挿入されていることを特徴とするコンクリート躯体補修用挿入型注入プラグ。
【発明の詳細な説明】
【技術分野】
【０００１】
本発明は、漏水を伴うひび割れや経時変化によるコンクリート躯体のひび割れに対し注入材を充填補修するコンクリート躯体補修方法及びそれに使用されるコンクリート躯体補修用挿入型注入プラグに関するものである。
【背景技術】
【０００２】
従来、数多くある多種多様の注入プラグは以下のものがあった。低圧注入では、コンクリート構造物の渇いている面に接着剤による張付型プラグがあった。高圧注入では、基本的に挿入するパイプの中間にゴム管を取り付け、ゴム管に対し縦方向の圧力を加え、縮めることによりゴム管を膨張させ、削孔穴と注入プラグとの空隙を塞いでいた。
【先行技術文献】
【非特許文献】
【０００３】
【非特許文献１】ひび割れ部に注入プラグの台座を接着剤により固定し、注射器状の筒の中に注入液を入れ、輪ゴムの復元力により圧入する方法や、ひび割れ部に固定する台座と風船状のものを一体化させ、台座を密着固定してから風船の中に注入剤を入れ風船の復元力で注入する。そして、注入パイプの中間にゴム管を取り付け、ゴム管に対し、縦方向の圧力を加え縮めることによりゴム管を膨張させ削孔穴と注入プラグとの空隙を塞いだものがあった。
【０００４】
しかしながら、従来の注入プラグを削孔穴に固定するには、接着剤による接着型や挿入型では、注入パイプの中間に取り付けたゴム管にネジ式の圧力を加え、ゴム管を膨張させて空隙を塞ぐもので、コンクリート躯体状況の把握と経験が必要となり、更に一箇所の固定に数分の時間を要していた。
【０００５】
また、注入材の注入が確実に実施されているかどうかの確認が出来なかった。
【発明の概要】
【発明が解決しようとする課題】
【０００６】
そこでこの発明は、短時間で、熟練を必要とせず、充填を確実に判断して施工できるコンクリート躯体補修方法を提供することを第一の目的としている。
また、この発明はコンクリート躯体の補修方法に使用されるコンクリート躯体補修用挿入型注入プラグを提供することを第二の目的としている。
【課題を解決するための手段】
【０００７】
第一の目的を達成するコンクリート躯体補修方法は、躯体補修用挿入型注入プラグから注入材を注入するコンクリート躯体補修方法であって、
ケイ酸アルカリ水溶液により溶けるガラス質を混入したプラスチックからなっている躯体補修用挿入型注入プラグの注入プラグ本体が先端に向かって先細りとなった先端部をケイ酸アルカリ水溶液に浸して潤滑性を付与し、
潤滑性が付与された先端部の外周にアメゴムチューブを挿入して被せ、ケイ酸アルカリ水溶液をガラス質と反応させて潤滑性を無くし、アメゴムチューブを先端部に接着固定し、
アメゴムチューブが固定された躯体補修用挿入型注入プラグを削孔穴に差し込み、
躯体補修用挿入型注入プラグを介して注入材をコンクリート躯体に注入することを特徴としている。
【０００８】
また、第二の目的を達成するコンクリート躯体の補修用挿入型注入プラグは、
請求項1のコンクリート躯体補修方法に使用されるコンクリート躯体補修用挿入型注入プラグにおいて、
注入プラグ本体は、先端に向かって先細りとなった先端部を有し、ケイ酸アルカリ水溶液により溶けるガラス質を混入した半透明のプラスチックからなっており、先端部の外周にアメゴムチューブが挿入されていることを特徴としている。
【発明の効果】
【０００９】
本発明によれば、テーパー型プラグにガラス質を混入し成形したことにより、アメゴムチューブとテーパー型プラグをケイ酸アルカリ水溶液に浸してから挿入することにより、先に潤滑剤として機能し、後に接着剤として機能する。そのため、経験がなくとも一穴のプラグ固着を数秒での取り付けが可能となった。また、従来のプラグでは、注入が確実に実施されているかの管理が難しいとされていたが、本発明では注入プラグが半透明であり、注入材が充填されていることが目視によって確認することができる。
また、プラグをテーパー型にしたことで、経験が無くとも容易に取り付けることができる。
【図面の簡単な説明】
【００１０】
【図１】本発明のコンクリート躯体補修用挿入型注入プラグの斜視図である。
【図２】図１に示すプラグの中央横断面図である。
【図３】本発明のプラグを使用したコンクリート躯体補修の概略説明図である。
【発明を実施するための形態】
【００１１】
コンクリート躯体が濡れている場合や経年劣化の進行が進み粗密なコンクリートでも対応できる。
【実施例】
【００１２】
震災による防火水槽の注入止水では，コンクリート躯体の経年劣化が進み、コンクリートが粗密であったが、注入プラグの取り付けを容易に行う事ができた。
ひび割れ部の注入補修などでは、下方から上方への低圧注入が原則である。
本製品は、注入プラグ本体をテーパー型とし、先端にアメゴムチューブを取り付け、テーパー型注入プラグを削孔穴に挿入することにより、アメゴムチューブを拡張させ密着固定した。
テーパー型プラグにガラス質を混入し成形したことにより、アメゴムチューブとテーパー型プラグをケイ酸アルカリ水溶液に浸してから挿入することにより、先に潤滑剤として機能し、後に接着剤として機能する。
本製品は、テーパー型に成形し、挿入型であるためコンクリートが濡れていても取り付けることができる。一方、注入量管理では，注入プラグがプラスチックにガラス質を混入し半透明としたため、注入材の流入状況を目視確認することができるようになった。
【産業上の利用可能性】
【００１３】
プラグをテーパー型に成型したことで、経験がなくとも容易に取り付けることができる。
【符号の説明】
【００１４】
a 注入プラグ本体
b アメゴムチューブ
c 軟質チューブ
d 逆流防止弁ボール
e 逆流防止弁補助バネ
f ひび割れの低い位置
g ひび割れの次に高い位置 
【図１】
0005871584.tif 000002
【図２】
0005871584.tif 000003
【図３】
0005871584.tif 000004